(57)【要約】【課題】従来の画像形成装置でジョブを受けたとき、このジョブで必要なサイズの用紙カセットがない場合は、バイパストレイにユーザーの手により必要なサイズの用紙をセットするか、用紙がセットされていないユニバーサル給紙カセットのカーソルを調整して必要なサイズの用紙をセットするなどして対応していたので手間であった。【解決手段】プリントジョブを受けた画像形成装置が、適したサイズの用紙がセットされていない場合には、ペーパーエンプティーのカセットを探して、適したサイズの用紙をセットできる準備をするとともに、ここに適したサイズの用紙をセットする旨をユーザーに知らせる。【選択図】　　図１
2004114581.tif 000002
【特許請求の範囲】
【請求項１】
複数の給紙カセットを有し、この給紙カセットのうち少なくと１つは指示された用紙サイズに応じた用紙長さと用紙幅に切り換えるユニバーサル給紙カセットである画像形成装置において、
プリントジョブ指示があった場合に、このプリントジョブで必要なサイズの給紙カセットがない場合は、ペーパーエンプティーの給紙カセットを選択するとともに、このジョブで必要なサイズをセットできるように用紙長さのカーソルと用紙幅のカーソルを移動させる給紙カセット用紙サイズ変更手段と、表示部に、この選択された給紙カセットにこのプリントジョブで必要なサイズの用紙をセットする旨表示する表示制御手段と、を有することを特徴とする画像形成装置。
【請求項２】
前記表示制御手段は、前記プリントジョブがパソコンから送信された画像をプリントアウトするプリンタ機能によるものであった場合は、このパソコンに対して、この選択された給紙カセットに、このプリントジョブで必要なサイズの用紙をセットする旨表示することを特徴とする請求項１に記載の画像形成装置。
【発明の詳細な説明】
【０００１】
【発明の属する技術分野】
本発明は複数の給紙カセットを有し、この給紙カセットのうち少なくと１つは指示された用紙サイズに応じた用紙長さと用紙幅に切り換えるユニバーサル給紙カセットである、デジタル複写機、プリンタ、ファクシミリなどに関する。
【０００２】
【従来の技術】
従来技術を採用するデジタル複写機、プリンタ、ファクシミリなどの画像形成装置では、プリントジョブが入ってくるとそのジョブで必要なサイズの用紙カセットを選択し、ここから給紙して順次プリントしていく。しかしジョブを受けた画像形成装置に、このジョブで必要なサイズの用紙カセットがない場合は、バイパストレイにユーザーの手により必要なサイズの用紙をセットするか、用紙がセットされていないユニバーサル給紙カセットのカーソルを調整して必要なサイズの用紙をセットするなどして対応していた。
【０００３】
【発明が解決しようとする課題】
しかし、上記手作業をユーザーが行わうのは手間である。適当な給紙カセットがないのであれば、せめて必要なサイズの用紙をセットするだけで済ませたいものである。本願発明はこのような問題を解決することを目的とする。
【０００４】
【課題を解決するための手段】
上記問題点を解決するために本願第１の発明は、複数の給紙カセットを有し、この給紙カセットのうち少なくと１つは指示された用紙サイズに応じた用紙長さと用紙幅に切り換えるユニバーサル給紙カセットである画像形成装置において、プリントジョブ指示があった場合に、このプリントジョブで必要なサイズの給紙カセットがない場合は、ペーパーエンプティーの給紙カセットを選択するとともに、このジョブで必要なサイズをセットできるように用紙長さのカーソルと用紙幅のカーソルを移動させる給紙カセット用紙サイズ変更手段と、表示部に、この選択された給紙カセットにこのプリントジョブで必要なサイズの用紙をセットする旨表示する表示制御手段と、を有することを特徴とする画像形成装置を用いる。
【０００５】
本願第２の発明は、前記表示制御手段は、前記プリントジョブがパソコンから送信された画像をプリントアウトするプリンタ機能によるものであった場合は、このパソコンに対して、この選択された給紙カセットに、このプリントジョブで必要なサイズの用紙をセットする旨表示することを特徴とする第１の発明に記載の画像形成装置を用いる。
【０００６】
【作用】
本願第１の発明は、プリントジョブを受けた画像形成装置が、適したサイズの用紙がセットされていない場合には、ペーパーエンプティーのカセットを探して、適したサイズの用紙をセットできる準備をするとともに、ここに適したサイズの用紙をセットする旨をユーザーに知らせるので、わざわざ給紙カセットのカーソルを調整しなくて良い上に、どのカセットに用紙をセットすれば良いか知らせてくれるので、便利である。さらに、どの用紙を必要としたかを知らないユーザーでも上記用紙のセットの作業ができる。
【０００７】
本願第２の発明は、プリントジョブがパソコンから送信されてきたものであれば、そのパソコンにも同様に、上記情報を知らせるので、パソコンのユーザーが用紙をセットしに行くことができる。
【０００８】
【実施例】
本願第１、２の発明を採用する画像形成装置１を図１に基づいて説明する。同図において、この画像形成装置１は、制御部２、給紙カセット３（３１〜３４）、プリンタ部４、操作表示部５などから構成され、ネットワーク７を介してパソコン６からプリンタジョブをプリントアウトすることもできる。また図示しない、モデムやＮＣＵから公衆回線を介して接続されたファクシミリ装置から受信した画像データをプリントアウトすることもできる。
【０００９】
制御部２は、ＣＰＵ、ＲＯＭ、ＲＡＭなどから構成され、各種検知手段が検知した結果に基づきＲＯＭに格納されていたプログラムで動作するものである。給紙カセット３（３１〜３４）は、図２（代表して給紙カセットＡ３１を説明する）に示すような、全て指示された用紙サイズに応じて、長さ方向、幅方向のカーソルを移動させることによりセットする用紙サイズを切り換えるユニバーサル給紙カセットである。本実施例では、給紙カセットＡ３１はペーパーエンプティー状態で、カーソルはＡ４サイズで設定されている。給紙カセットＢ〜Ｄ（３２〜３４）は、全てＡ４サイズの用紙がセットされているものとする。操作表示部５はＬＣＤ表示部であり、表示とともにタッチパネルを兼ねている。
【００１０】
本願第１の発明の処理を、図３を用いて説明する。まずコピーやファクシミリ、プリンタのプリントジョブがあった場合（Ｓ１０１）、このジョブを解析し、このジョブの指定された用紙サイズの給紙カセットが有るかを検索する（Ｓ１０２）。有ればそのままジョブを開始し（Ｓ１０３）、処理は終了する。無ければ次にこの画像形成装置１のもつ給紙カセット３のうち、ペーパーエンプティー状態の給紙カセットを探す（Ｓ１０４）。ここで無ければ、このジョブを実行するのに適した用紙が無い旨を操作表示部５に表示し（Ｓ１０５）、処理は終了する。ペーパーエンプティーの給紙カセットがあれば、その給紙カセットを選択し（Ｓ１０６）、このジョブに適したサイズの用紙をセットできるように、カセット内のカーソルを移動させる（Ｓ１０７）とともに、この給紙カセットに、このジョブに適したサイズの用紙をセットする旨表示し（Ｓ１０８）、処理は終了する。
【００１１】
本願第２の発明では、上記Ｓ１０８の処理とともに、プリント指示をしたパソコン６に対して、このジョブに適したサイズの用紙をセットする旨送信し、これを受け取ったパソコン６は、ポップアップなどでこのことを知ることができる。
【００１２】
これらをもう少し詳細に説明すると、例えば、パソコン６からＢ５サイズにプリントするジョブを画像形成装置１に送信すると、これを受けた画像形成装置１は（Ｓ１０１）、Ｂ５サイズの給紙カセットに切り換えようとするが（Ｓ１０２）、給紙カセットＡ〜Ｄ（３１〜３４）は全てＡ４の設定で、適当なサイズが無いので、ペーパーエンプティーの給紙カセットは無いかを探す（Ｓ１０４）。ここでは給紙カセットＡ３１がペーパーエンプティーなのでこの給紙カセットＡ３１から給紙することを選択し（Ｓ１０６）、このジョブに適したＢ５サイズの用紙をセットできるように、カセット内のカーソルを移動させ（Ｓ１０７）、この給紙カセットＡ３１に、このジョブに適したＢ５サイズの用紙をセットする旨を操作表示部４に表示するとともに（Ｓ１０８）、プリント指示をしたパソコン６に対して、このジョブに適したＢ５サイズの用紙をセットする旨送信する。パソコン６のユーザー、又はこの画像形成装置１の近くにいるユーザーは、この表示を見ると、その指示通りに、給紙カセットＡ３１にＢ５サイズの用紙をセットすれば、このジョブが実行される。
【００１３】
【発明の効果】
本件第１の発明を用いれば、プリントジョブを受けた画像形成装置が、適したサイズの用紙がセットされていない場合には、ペーパーエンプティーのカセットを探して、適したサイズの用紙をセットできる準備をするとともに、ここに適したサイズの用紙をセットする旨をユーザーに知らせるので、わざわざ給紙カセットのカーソルを調整しなくて良い上に、どのカセットに用紙をセットすれば良いか知らせてくれるので、便利である。さらに、どの用紙を必要としたかを知らないユーザーでも上記用紙のセットの作業ができる。
【００１４】
本願第２の発明を用いれば、プリントジョブがパソコンから送信されてきたものであれば、そのパソコンにも同様に、上記情報を知らせるので、パソコンのユーザーが用紙をセットしに行くことができる。
【図面の簡単な説明】
【図１】本願発明を採用する画像形成装置とその周辺機器のブロック図である。
【図２】本願発明のユニバーサル給紙カセットの概略図である。
【図３】本願発明の処理フローである。
【符号の説明】
１；画像処理装置
２；制御部
３；給紙カセット
４；プリンタ部
５；操作表示部
６；パソコン
７；ネットワーク
【図１】
2004114581.tif 000003
【図２】
2004114581.tif 000004
【図３】
2004114581.tif 000005